(57)【要約】【課題】本発明は、冷房運転時における羽根表面の結露の発生を抑制させることができる構成を有する信頼性の高い空気調和機を提供する。【解決部】本発明の空気調和機は、熱交換器において熱交換して吹出口から吹き出すための気流を発生させるファンの下流に配置されたリアガイダの案内面おいて羽根の開口より上流側の位置に風除け部を設け、羽根の開口から羽根内部に空気が流入することを抑制している。【選択図】図９
2014194314.tif 000002
【特許請求の範囲】
【請求項１】
空気の取入口と吹出口を有し、外観を構成する本体、
前記取入口から取り入れた空気を熱交換する熱交換器、
前記熱交換器において熱交換して前記吹出口から吹き出すための気流を発生させるファン、
前記ファンの下流に配置されて熱交換された空気の流れを前記吹出口へ案内する案内面を有するリアガイダ、
前記リアガイダの前記案内面の最下流端に回動動作を行う羽根回動軸を収納するよう設けられ、前記リアガイダに沿って流れてきた気流の方向を案内する羽根、及び
前記本体に配設され、前記羽根の前記羽根回動軸を保持する羽根保持部、
を備え、
前記羽根は、前記羽根保持部が前記羽根回動軸を回動可能に保持するための開口を有し、
前記リアガイダは、前記羽根の前記開口より上流側に位置する前記案内面に風除け部を有する空気調和機。
【請求項２】
前記風除け部は、前記リアガイダの前記案内面に沿って流れる気流の方向より上向きの第１の風吹出面を有する請求項１に記載の空気調和機。
【請求項３】
前記第１の風吹出面は、気流の方向に沿って切断された断面形状が曲線である請求項２に記載の空気調和機。
【請求項４】
前記風除け部は、前記リアガイダの前記案内面に沿って流れる気流の方向より上向きの傾斜面であって、前記リアガイダの前記案内面に沿って流れる気流を、前記羽根保持部を中心に左右に吹き分ける第２の風吹出面と第３の風吹出面を有する請求項１に記載の空気調和機。
【請求項５】
前記第２の風吹出面と前記第３の風吹出面は、曲面で形成された請求項４に記載の空気調和機。
【請求項６】
前記第２の風吹出面と前記第３の風吹出面は隣接して設けられ、前記第２の風吹出面と前記第３の風吹出面との間に形成される境界線は前記リアガイダの前記案内面に沿って流れる気流の方向と平行となるよう形成される請求項４又は５に記載の空気調和機。
【請求項７】
前記羽根保持部は、前記第２の風吹出面と前記第３の風吹出面との間に形成される前記境界線の下流に位置する請求項６に記載の空気調和機。
【請求項８】
前記風除け部の全体幅は、前記羽根の前記開口の幅より大きい請求項１乃至７のいずれか一項に記載の空気調和機。
【請求項９】
前記羽根は、前記羽根回動軸を収納する羽根回動部を有し、
前記本体は、前記羽根回動部に対向する部分に本体軸受部を有し、
前記羽根回動軸と前記羽根保持部は、異なる材料で形成され、
前記羽根回動部と前記本体軸受部は、異なる材料で形成された請求項１乃至８のいずれか一項に記載の空気調和機。
【発明の詳細な説明】
【技術分野】
【０００１】
本発明は、室内の空調を行うための空気調和機に関し、特に空気調和機における吹出口近傍の結露防止に関する。
【背景技術】
【０００２】
一般家庭で使用される空気調和機においては、通常、室内への騒音及び振動を抑制するために、コンプレッサ等の大きな騒音源、振動源となるものを室外機に配設し、騒音及び振動の少ないファンや熱交換器等を室内機に配設したセパレータ型が用いられている。このように構成された室内機は、室内の壁面等に設置されて、室内が所望の温度となるよう空調動作が行われる。室外機と室内機は、冷媒配管と制御用配線で互いに機械的及び電気的に接続されており、互いに協働して空調動作を行っている。
【０００３】
空気調和機の室内機には、温度調節された空気を室内に吹き出すための吹出口が設けられており、その吹出口には吹き出される空気の向きを変更するための風向変更部が設けられている。風向変更部としては、室内における所望の領域に向かって吹出口から吹き出された空気を送り出すために、吹出口から吹き出される空気の流れを上下方向に変更する上下風向変更羽根と、吹出口から吹き出される空気の流れを左右方向に変更する左右風向変更羽根とで構成された風向変更羽根が用いられている。
【０００４】
従来の空気調和機における上下風向変更羽根としては、例えば、空気調和機の運転時には吹出口から突出して、吹出口から吹き出される空気の流れ方向を変更するとともに、空気調和機の停止時には吹出口に収納されるよう構成されたものがある（例えば、特許文献１参照。）。
【先行技術文献】
【特許文献】
【０００５】
【特許文献１】特許４１１０８６３号公報
【発明の概要】
【発明が解決しようとする課題】
【０００６】
空気調和機の室内機において、熱交換された空気は空気を送り出すためのファンの下流側に設けられたリアガイダに沿って流れて、リアガイダの下流に回動可能に設けられた上下風向変更羽根により吹出口から吹き出される構成である。上下風向変更羽根は、室内に吹き出すための吹出口を開閉するとともに、空気の吹き出し方向を大きく上下に変更する機能を有する。また、上下風向変更羽根には、回動動作を行うよう羽根回動軸が収納されており、羽根回動軸は空気調和機の本体に配設された羽根保持部により回動可能に保持されている。
【０００７】
上記のように構成された従来の空気調和機においては、上下風向変更羽根の羽根回動軸を羽根保持部によって回動可能に保持するため、上下風向変更羽根に開口が形成されている。そのため、冷房運転時にリアガイダに沿って流れてきた空気（冷気）が、上下風向変更羽根の開口に流入し、上下風向変更羽根の内壁に冷気が当たることによって上下風向変更羽根の表面近傍に結露を生じさせるという問題を有していた。
【０００８】
本発明においては、前記のように従来の空気調和機において問題となっている冷房運転時にリアガイダに沿って流れてきた空気（冷気）が、上下風向変更羽根の開口に流入することを抑制し、上下風向変更羽根の表面近傍での結露の発生を防止することができる信頼性の高い空気調和機の提供を目的とする。
【課題を解決するための手段】
【０００９】
前記目的を達成するために、本発明に係る空気調和機においては、
空気の取入口と吹出口を有し、外観を構成する本体、
前記取入口から取り入れた空気を熱交換する熱交換器、
前記熱交換器において熱交換して前記吹出口から吹き出すための気流を発生させるファン、
前記ファンの下流に配置されて熱交換された空気の流れを前記吹出口へ案内する案内面を有するリアガイダ、
前記リアガイダの前記案内面の最下流端に回動動作を行う羽根回動軸を収納するよう設けられ、前記リアガイダに沿って流れてきた気流の方向を案内する羽根、及び
前記本体に配設され、前記羽根の前記羽根回動軸を保持する羽根保持部、
を備え、
前記羽根は、前記羽根保持部が前記羽根回動軸を回動可能に保持するための開口を有し、
前記リアガイダは、前記羽根の前記開口より上流側に位置する前記案内面に風除け部を有する。
【発明の効果】
【００１０】
本発明によれば、冷房運転時にリアガイダに沿って流れてきた空気（冷気）が、上下風向変更羽根の開口に流入することを抑制し、上下風向変更羽根の表面近傍での結露の発生を防止することができる信頼性の高い空気調和機を提供することができる。
【図面の簡単な説明】
【００１１】
【図１】図１は本発明に係る実施の形態１の空気調和機における室内機の概略構成を示す縦断面図である。
【図２】図２は実施の形態１の空気調和機における空調運転時の状態を示す縦断面図である。
【図３】図３は実施の形態１の空気調和機における空調運転時の上下風向変更羽根の動作例を示す縦断面図である。
【図４】図４は実施の形態１の空気調和機における空調運転時の上下風向変更羽根の動作例を示す縦断面図である。
【図５】図５は実施の形態１の空気調和機における空調運転時の上下風向変更羽根の動作例を示す縦断面図である。
【図６】図６は一般的な空気調和機の構成を示す斜視図である。
【図７】図７は一般的な空気調和機の構成を拡大して示す縦断面図である。
【図８】図８は実施の形態１の空気調和機における風除け部を拡大して示す部分斜視図である。
【図９】図９は実施の形態１の空気調和機における風除け部付近の構成を拡大して示す縦断面図である。
【図１０】図１０は実施の形態２の空気調和機における風除け部を拡大して示す部分斜視図である。
【図１１】図１１は実施の形態２の空気調和機における風除け部を拡大して示す上面図である。
【発明を実施するための形態】
【００１２】
本発明に係る第１の態様の空気調和機は、
前記目的を達成するために、本発明に係る空気調和機においては、
空気の取入口と吹出口を有し、外観を構成する本体、
前記取入口から取り入れた空気を熱交換する熱交換器、
前記熱交換器において熱交換して前記吹出口から吹き出すための気流を発生させるファン、
前記ファンの下流に配置されて熱交換された空気の流れを前記吹出口へ案内する案内面を有するリアガイダ、
前記リアガイダの前記案内面の最下流端に回動動作を行う羽根回動軸を収納するよう設けられ、前記リアガイダに沿って流れてきた気流の方向を案内する羽根、及び
前記本体に配設され、前記羽根の前記羽根回動軸を保持する羽根保持部、
を備え、
前記羽根は、前記羽根保持部が前記羽根回動軸を回動可能に保持するための開口を有し、
前記リアガイダは、前記羽根の前記開口より上流側に位置する前記案内面に風除け部を有する。このように構成された本発明に係る第１の態様の空気調和機は、冷房運転時において、風除け部によってリアガイダの案内面から流れてきた空気（冷気）が羽根の開口に流入することを抑制できる。その結果、羽根内部の内壁に冷気が当たることを抑制し、羽根の表面近傍での結露の発生を防止することができる。
【００１３】
本発明に係る第２の態様の空気調和機において、前記の第１の態様における前記風除け部は、前記リアガイダの前記案内面に沿って流れる気流の方向より上向きの第１の風吹出面を有する。このように構成された本発明に係る第２の態様の空気調和機は、冷房運転時において、リアガイダの案内面に沿って流れてきた空気を、風除け部の第１の風吹出面によってリアガイダの案内面に沿って流れる気流の方向より上向きに吹き出すことで、羽根の開口に空気が流入することを抑制することができる。その結果、羽根内部の内壁に冷気が当たることを抑制し、羽根の表面近傍での結露の発生を防止することができる。
【００１４】
本発明に係る第３の態様の空気調和機において、前記の第２の態様における前記第１の風吹出面は、気流の方向に沿って切断された断面形状が曲線である。このように構成された本発明に係る第３の態様の空気調和機においては、リアガイダの案内面に沿って流れてきた空気を、より容易に風除け部の第１の風吹出面によってリアガイダの案内面に沿って流れる気流の方向より上向きに吹き出すことができる。したがって、羽根の開口に空気が流入することをより容易に抑制することができる。その結果、羽根内部の内壁に冷気が当たることを抑制し、羽根の表面近傍での結露の発生を防止することができる。
【００１５】
本発明に係る第４の態様の空気調和機において、前記の第１の態様における前記風除け部は、前記リアガイダの前記案内面に沿って流れる気流の方向より上向きの傾斜面であって、前記リアガイダの前記案内面に沿って流れる気流を、前記羽根保持部を中心に左右に吹き分ける第２の風吹出面と第３の風吹出面を有する。このように構成された本発明に係る第４の態様の空気調和機においては、リアガイダの案内面に沿って流れてきた空気を、風除け部の第２の風吹出面と第３の風吹出面によって、リアガイダの案内面に沿って流れる気流の方向より上向きに流しつつ、羽根保持部を中心に左右に吹き出すことができる。このように、風除け部から吹き出された空気が、羽根保持部に当たることを抑制しつつ、羽根の開口に流入することを抑制できる。その結果、羽根内部の内壁に冷気が当たることを抑制し、羽根の表面近傍での結露の発生を防止することができる。
【００１６】
本発明に係る第５の態様の空気調和機において、前記の第４の態様における前記第２の風吹出面と前記第３の風吹出面は、曲面で形成される。このように構成された本発明に係る第５の態様の空気調和機においては、リアガイダの案内面に沿って流れてきた空気を、より容易に風除け部の第２の風吹出面と第３の風吹出面によって羽根保持部を中心に左右に吹き出すことができる。風除け部から吹き出された空気が、より容易に羽根保持部に当たることを抑制しつつ、羽根の開口に流入することを抑制できる。その結果、羽根内部の内壁に冷気が当たることを抑制し、羽根の表面近傍での結露の発生を防止することができる。
【００１７】
本発明に係る第６の態様の空気調和機において、前記の第４の態様又は前記の第５の態様における前記第２の風吹出面と前記第３の風吹出面は隣接して設けられ、前記第２の風吹出面と前記第３の風吹出面との間に形成される境界線は前記リアガイダの前記案内面に沿って流れる気流の方向と平行となるよう形成されている。このように構成された本発明に係る第６の態様の空気調和機においては、風除け部から吹き出された空気を、第２の風吹出面と第３の風吹出面との間に形成される境界線でスムーズに第２の吹出面に沿って流れる方向と第３の吹出面に沿って流れる方向に吹き分けることができる。
【００１８】
本発明に係る第７の態様の空気調和機において、前記の第６の態様における前記羽根保持部は、前記第２の風吹出面と前記第３の風吹出面との間に形成される前記境界線の下流に位置する。このように構成された本発明に係る第７の態様の空気調和機においては、羽根保持部に空気が当たることを確実に抑制しつつ、羽根の開口への空気の流入を防止することができる。その結果、羽根の表面近傍での結露の発生を防止することができる。
【００１９】
本発明に係る第８の態様の空気調和機において、前記の第１の態様から前記の第７の態様のいずれかにおける前記風除け部の全体幅は、前記羽根の前記開口の幅より大きい。このように構成された本発明に係る第８の態様の空気調和機においては、風除け部から吹き出された空気が、確実に羽根の開口に流入することを防止できる。その結果、羽根内部の内壁に冷気が当たることを抑制し、羽根の表面近傍の結露の発生を防止することができる。
【００２０】
本発明に係る第９の態様の空気調和機は、前記の第１の態様から前記の第８の態様のいずれかにおいて、前記羽根は、前記羽根回動軸を収納する羽根回動部を有し、
前記本体は、前記羽根回動部に対向する部分に本体軸受部を有し、
前記羽根回動軸と前記羽根保持部は、異なる材料で形成され、
前記羽根回動部と前記本体軸受部は、異なる材料で形成されている。このように構成された本発明に係る第９の態様の空気調和機においては、羽根回動軸と羽根保持部との摩擦抵抗を減らすことができる。そのため、羽根回動軸の回動時において、羽根回動軸と羽根保持部との摩擦によって発生する音を低減することができる。また、上記のような材料を用いることにより、加工精度のばらつきにより、羽根回動部と本体軸受部が接触する場合においても摩擦によって発生する音を低減することができる。その結果、羽根回動部とリアガイダとの間の隙間を小さくすることが可能となり、隙間への空気の流入を抑制するシール性を向上させることができる。このように、羽根とリアガイダとの間の隙間への空気の流入を抑制することによって、冷房運転時における吹出口近傍の結露の発生を抑制することができる。
【００２１】
以下、本発明の空気調和機に係る実施の形態について、添付の図面を参照しながら説明する。また、各図においては、説明を容易なものとするため、各要素を誇張して示している。なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００２２】
（実施の形態１）
実施の形態１の空気調和機は、室内機と室外機が冷媒配管及び制御配線等により互いに接続された、所謂セパレート型の空気調和機である。室内機と室外機によりヒートポンプが構成されており、室外機にはコンプレッサが設けられている。実施の形態１の空気調和機における室内機は、室内の壁面に取り付ける壁掛け式室内機である。
【００２３】
図１は、本発明に係る実施の形態１の空気調和機における室内機の概略構成を示す縦断面図である。図１は実施の形態１の空気調和機における空調運転停止時の状態を示している。
【００２４】
図１に示すように、室内機１は、空気の取入口となる前面開口部２ａと上面開口部２ｂ、および熱交換された空気を吹き出す吹出口２ｃとを有する本体２、及び本体２の前面開口部２ａを開閉する可動式の前面パネル３を備えている。本体２の内部には、室内空気に含まれる塵埃を除去するためのフィルタ４と、取り入れた室内空気を熱交換する熱交換器５と、前面開口部２ａ及び上面開口部２ｂからフィルタ４を通して取り入れた室内空気を熱交換器５で熱交換して吹出口２ｃから室内に吹き出すための気流を発生させる貫流ファンであるファン６と、が設けられている。また、室内機１の本体２において、ファン６の下流側から吹出口２ｃの上流側に至る通風路１０は、ファン６の下流側に配置されて空気の流れを案内するリアガイダ７と、このリアガイダ７に対向して配置されたスタビライザ１１と、本体２の両側壁（図示せず）とで形成されている。
【００２５】
実施の形態１の空気調和機において熱交換した空気を室内に吹き出すための吹出口２ｃには、当該吹出口２ｃを開閉するとともに、空気の吹き出し方向を上下方向に変更することができる上下風向変更部である上下風向変更羽根８が設けられている。さらに、吹出口２ｃの内部には空気の吹き出し方向を左右に変更することができる左右風向変更部である左右風向変更羽根９が設けられている。
【００２６】
図１に示す空調運転停止時の状態においては、前面パネル３が本体２に密着して前面開口部２ａを閉じるように構成されており、上下風向変更羽根８が吹出口２ｃの内部に収納されて吹出口２ｃを閉鎖するよう構成されている。
【００２７】
図２は、実施の形態１の空気調和機における空調運転時の状態を示す縦断面図である。図２に示すように、前面パネル３は、本体２から離れる方向に所定距離だけ移動して前面開口部２ａを開放するように構成されている。
【００２８】
上下風向変更羽根８は、第１の羽根の一例である下羽根８ａと、この下羽根８ａの上方に設けられた第２の羽根の一例である上羽根８ｂと、を備えている。上下風向変更羽根８は、下羽根８ａと上羽根８ｂとが協働して、吹出口２ｃから吹き出される空気の吹き出し方向を制御している。下羽根８ａは、下羽根駆動軸の回動動作により、所定角度だけ回動するよう構成されている。上羽根８ｂは、例えば制御によって下羽根８ａと略平行に保持された状態で回動して下羽根８ａに対して近接・離間動作する構成を有している。
【００２９】
なお、上下風向変更羽根８における上羽根８ｂには、第３の羽根の一例であるガイドミニ羽根８ｃが設けられている。ガイドミニ羽根８ｃは、下羽根８ａと上羽根８ｂにより形成される主流に対して保護する気流を発生させる機能を有している。このように、上羽根８ｂの上面にガイドミニ羽根８ｃを設けることにより、主流に対する周りの空気の混合を防止し、主流における流れの減衰が抑制されている。
【００３０】
左右風向変更羽根９は、複数枚の羽根で構成されており、吹出口２ｃから吹き出される空気の吹き出し方向を左右方向に変更するよう制御されている。
【００３１】
空気調和機が空調運転を開始すると、前面パネル３が本体２から所定距離だけ離れる離動作を行い前面開口部２ａが開放されるとともに、上下風向変更羽根８が開動作を行い吹出口２ｃが開放される。このように前面開口部２ａおよび吹出口２ｃが開放された状態でファン６が駆動されて、室内空気が前面開口部２ａ及び上面開口部２ｂを通して室内機１の内部に取り入れられる。取り入れられた室内空気は、フィルタ４を通り、熱交換器５において熱交換されて、ファン６に吸い込まれる。ファン６に吸い込まれた熱交換された空気は、ファン６の下流側に形成された通風路１０を通り、吹出口２ｃより吹き出される。
【００３２】
ファン６からの空気が通風路１０を通過するとき、ファン６の下流側に配置されたリアガイダ７およびスタビライザ１１によりファン６からの空気が案内されて、吹出口２ｃから吹き出される。貫流ファンであるファン６からの空気は、ファン６の外側外周に設けられたリアガイダ７の曲面に沿って流れて、吹出口２ｃから吹き出される。
【００３３】
吹出口２ｃから吹き出される空気の吹き出し方向は、上下風向変更羽根８及び左右風向変更羽根９により制御されている。上下風向変更羽根８及び左右風向変更羽根９の角度調整等の動作は、当該空気調和機を制御する制御装置（図示省略）により制御されている。
【００３４】
[上下風向変更羽根の動作]
図３から図５は、実施の形態１の空気調和機における空調運転時の上下風向変更羽根８の動作例を示しており、主流を形成する下羽根８ａと上羽根８ｂとの回動動作を示す縦断面図である。下羽根８ａは、下羽根８ａを回動する下羽根回動部８ａｂとリアガイダ７の案内面７ａからの空気を所望の方向に案内する吹出面８ａａを有する羽根部８ａｄを備える。下羽根回動部８ａｂは、下羽根回動軸８ａｃを収納するよう構成されている。上下風向変更羽根８は、下羽根８ａにおける下羽根回動軸８ａｃの回動により、下羽根８ａとともに上羽根８ｂが連動して回動する構成である。実施の形態１の空気調和機における上下風向変更羽根８は、リアガイダ７の最下流端７ｃの吹出口２ｃに設けられ、吹出口２ｃからの空気に対して高い整流効果を発揮するディフューザとしての機能を有すると共に、上下方向の風向を制御する機能を兼ね備えている。
【００３５】
図３は、実施の形態１の空気調和機におけるリアガイダ７から下羽根８ａに至る風路の抵抗が最小の時の動作例である。以下の説明において、図３に示す下羽根８ａの位置を最大風量形成位置と称し、この下羽根８ａが最大風量形成位置に配置された状態を最大風量形成状態と称する。図３に示す最大風量形成位置においては、吹出口２ｃからの空気が斜め下方向に吹き出されている。このときの上下風向変更羽根８の下羽根８ａがディフューザとしての機能を最大に発揮している。
【００３６】
図４は、実施の形態１の空気調和機の冷房運転時における動作例である。下羽根８ａが、前述の最大風量形成状態より上向きに配置された動作例であり、吹出口２ｃからの空気の吹き出し方向が、略水平方向である。
【００３７】
図５は、実施の形態１の空気調和機の通常の暖房運転時における動作例である。下羽根８ａが、前述の最大風量形成状態より下向きに配置されており、吹出口２ｃからの空気の吹き出し方向が、略下向き方向である。
【００３８】
［上下風向変更羽根の保持機構］
図６は、実施の形態１の上下風向変更羽根８を示す斜視図である。図６は、冷房運転時の動作例を示している。図６に示すように、上下風向変更羽根８の保持機構が上下風向変更羽根８の下羽根８ａの中央及び／又は両端に設けられている。例えば、下羽根８ａの中央では、本体２に配設された、薄い板状の下羽根保持部１４が下羽根８ａの下羽根回動軸８ａｃを回動可能に保持している。また、下羽根８ａには、下羽根保持部１４が下羽根回動軸８ａｃを保持できるよう開口１５が形成されている。
【００３９】
実施の形態１の空気調和機は、冷房運転時においてリアガイダ７に沿って流れてきた空気が、下羽根８ａの開口１５に流入することを抑制するよう、下羽根８ａの開口１５の上流側に位置するリアガイダ７の案内面７ａに風除け部１６ａを有している。
【００４０】
次に、実施の形態１の空気調和機において、風除け部１６ａ近傍の流れについて理解しやすいように一般的な空気調和機の構成を用いて説明する。
図７は、一般的な空気調和機における上下風向変更羽根１０８の構成を拡大して示す縦断面図である。図７に示す空気調和機は、冷房運転時の動作例、即ち上下風向変更羽根１０８における下羽根１０８ａが最大風量形成状態より上向きに配置された動作例を示している。
【００４１】
図７に示すように、一般的な空気調和機では、下羽根保持部１１４が下羽根１０８ａの開口１１５を通って、下羽根１０８ａの下羽根回動軸１０８ａｃを回動可能に保持している。下羽根１０８ａの開口１１５は、下羽根１０８ａの下羽根回動部１０８ａｂの上面側（図７の上側）に形成されている。冷房運転時において、リアガイダ１０７の案内面１０７ａから吹き出された空気は、下羽根１０８ａの開口１１５から下羽根回動部１０８ａｂの内部に流入する。図７に示した一般的な空気調和機では、下羽根１０８の開口１１５から流入した空気が下羽根回動部１０８ａｂの内壁に当たることにより、下羽根１０８ａを冷やし、下羽根１０８ａの表面近傍に結露１２０を生じさせるという課題を有している。なお、図７において、リアガイダ１０７の案内面１０７ａに沿って流れる気流の方向を第１の吹き出し方向Ｇ１と定義する。
【００４２】
本発明に係る実施の形態１の空気調和機は、上記課題を解決するものであり、以下、実施の形態１の空気調和機における結露防止機構について詳細に説明する。
【００４３】
本発明の実施の形態１の空気調和機における結露防止機構について図８と図９を用いて説明する。図８は、本発明の実施の形態１の空気調和機における結露防止機構である風除け部１６ａを拡大して示す部分斜視図である。図９は、実施の形態１の空気調和機における上下風向変更羽根８等の構成を拡大して示す縦断面図である。図９に示す空気調和機は、冷房運転時の動作例を示している。
【００４４】
図８に示すように、実施の形態１の空気調和機では、下羽根８ａの開口１５の上流側に位置するリアガイダ７の案内面７ａに風除け部１６ａを有している。実施の形態１における風除け部１６ａは、下羽根８ａの開口１５の上流側に位置するリアガイダ７の案内面７ａを流れる気流の方向を変更する第１の風吹出面１６ａａを有している。なお、第１の風吹出面１６ａａとは、図８における風除け部１６ａの上側の面を意味する。
【００４５】
図９に示すように、第１の風吹出面１６ａａは、リアガイダ７の案内面７ａに沿って流れる気流の方向である第１の吹き出し方向Ｇ１より上向きの傾斜面である。風除け部１６ａの第１の風吹出面１６ａａは、例えば、曲面又は平面等の任意の形状、即ち気流の方向に沿って切断した断面形状が曲線又は直線であってもよい。実施の形態１の空気調和機では、このような第１の風吹出面１６ａａを有する任意の形状の風除け部１６ａを下羽根８ａの開口１５の上流側に位置するリアガイダ７の案内面７ａに形成することによって、下羽根８ａの開口１５の上流側に位置するリアガイダ７の案内面７ａから吹き出される気流が、下羽根８ａの開口１５に流入することを抑制する構成となっている。
【００４６】
また、実施の形態１の風除け部１６は、図８に示すように下羽根８ａの開口１５の幅よりも大きくなるよう形成されるのが好ましい。このように構成することによって、風除け部１６ａから吹き出された空気が、確実に下羽根８ａの開口１５に流入することを防止できる。
【００４７】
このように、実施の形態１の空気調和機は、下羽根８ａの開口１５の上流側に位置するリアガイダ７の案内面７ａに風除け部１６ａを形成し、風除け部１６ａの第１の風吹出面１６ａａから吹き出される気流を第１の吹き出し方向Ｇ１より上方向に吹き出している。ここで、風除け部１６ａの風吹出面１６ａａから吹き出される気流の方向を第２の吹き出し方向Ｇ２と定義する。
【００４８】
次に、実施の形態１の空気調和機の風除け部１６ａにおける作用について図９を用いて説明する。図９は、冷房運転時における風除け部１６ａ付近の空気の流れを示している。図９に示すように、冷房運転時において、ファン６からの空気は、リアガイダ７の案内面７ａに沿って流れ、下羽根８ａの開口１５の上流側に位置するリアガイダ７の案内面７ａに形成された風除け部１６ａへ流れる。風除け部１６ａでは、リアガイダ７の案内面７ａに沿って流れてきた空気が、第１の風吹出面１６ａａに沿って流れ、リアガイダ７の案内面７ａに沿って流れる気流の方向（第１の吹き出し方向Ｇ１）より上向きの第２の吹き出し方向Ｇ２に向かって吹き出される。そして、風除け部１６ａの風吹出面１６ａａから吹き出された空気は、下羽根８ａの開口１５の上方を流れ、下羽根８ａの吹出面８ａａから吹出口２ｃへ吹き出される。
【００４９】
以上のように、実施の形態１の空気調和機では、リアガイダ７の案内面７ａに沿って流れる気流の方向（第１の吹き出し方向Ｇ１）より上向きの傾斜面である第１の風吹出面１６ａａを有する風除け部１６ａを下羽根８ａの開口１５の上流側に位置するリアガイダ７の案内面７ａに形成している。このような構成によって、風除け部１６ａの第１の風吹出面１６ａａから吹き出される空気（冷気）が、第１の吹き出し方向Ｇ１より上向きの第２の吹き出し方向Ｇ２に向かって流れる。その結果、リアガイダ７の案内面７ａから吹き出された空気が、下羽根８ａの開口１５に入り込むことを抑制することが可能となり、下羽根８ａの下羽根回動部８ａｂの内壁に冷気が当たることを防止できる。したがって、実施の形態１の空気調和機では、下羽根８ａ表面近傍での結露が発生することを防止できる。
【００５０】
（実施の形態２）
次に、本発明に係る実施の形態２の空気調和機について図１０を用いて説明する。図１０は、実施の形態２の空気調和機における風除け部１６ｂを拡大して示す部分斜視図である。実施の形態２の空気調和機において、前述の実施の形態１と実質的に同一の機能、動作を示す部分には同一番号を付与し、その説明は省略する。また、実施の形態２の空気調和機における基本動作は、実施の形態１の空気調和機における基本動作と同様であるので、実施の形態２の説明においては実施の形態１と異なる点である風除け部１６ｂについて説明する。
【００５１】
図１０に示すように、実施の形態２の空気調和機では、下羽根８ａの開口１５の上流側に位置するリアガイダ７の案内面７ａに、第２の吹出面１６ｂａと第３の吹出面１６ｂｂとを有する風除け部１６ｂが形成されている。なお、実施の形態２において、第２の風吹出面１６ｂａとは、風除け部１６ｂの上面側（図１０における上側）において気流の進行方向の左側（図１０における右側）の面を意味する。また、第３の風吹出面１６ｂｂとは、風除け部１６ｂの上面側において気流の進行方向の右側（図１０における左側）の面を意味する。ここで、気流の進行方向とは、図１０においてリアガイダ７の案内面７ａから下羽根８ａの吹出面８ａａへ流れる気流の方向を意味する。
【００５２】
図１１は、実施の形態２における風除け部１６ｂ付近の構成を拡大して示す上面図である。図１１に示すように、実施の形態２における風除け部１６ｂは、例えば、第２の吹出面１６ｂａと第３の吹出面１６ｂｂとが隣接して設けられる。この場合、リアガイダ７の案内面７ａに沿って流れてきた気流が第２の吹出面１６ｂａと第３の吹出面１６ｂｂとの間に形成される境界線１６ｂｅで左右に吹き分けられる。また、第２の吹出面１６ｂａと第３の吹出面１６ｂｂは、第１の吹き出し方向Ｇ１よりも上向きとなる傾斜面を有している。このため、リアガイダ７の案内面７ａに沿って流れてきた気流を第１の吹き出し方向Ｇ１よりも上方向に吹き出すこともできる。このように、実施の形態２の空気調和機は、風除け部１６ｂによって、下羽根保持部１４に空気が当たることを抑制しつつ、下羽根８ａの開口１５に空気が流入するのを抑制している。
【００５３】
実施の形態２の風除け部１６ｂは、第２の吹出面１６ｂａと第３の吹出面１６ｂｂとの間に形成される境界線１６ｂｅがリアガイダ７の案内面７ａに沿って流れる気流の方向（第１の吹き出し方向Ｇ１）と平行となるよう形成される。このような構成によって、リアガイダ７の案内面７ａに沿って流れてきた空気をスムーズに第２の吹出面１６ｂａに沿って流れる方向と第３の吹出面１６ｂｂに沿って流れる方向に吹き分けることができる。
【００５４】
また、実施の形態２においては、第２の吹出面１６ｂａと第３の吹出面１６ｂｂとの間に形成される境界線１６ｂｅの下流に下羽根保持部１４が位置する。このように構成することによって、下羽根保持部１４に空気が当たることを抑制しつつ、下羽根８ａの開口１５への空気の流入を抑制することができる。
【００５５】
図１１に示す第２の風吹出面１６ｂａと第３の風吹出面１６ｂｂとで形成される頂点１６ｂｃは、リアガイダ７の案内面７ａに接触するよう配置され、頂点１６ｂｄは、リアガイダ７の案内面７ａに対して所定の高さに配置される。この頂点１６ｂｄの位置を調整することによって、第２の風吹出面１６ｂａと第３の風吹出面１６ｂｂの傾斜角度を調整できる。
【００５６】
このように、実施の形態２の空気調和機は、風除け部１６ｂによって下羽根８ａの開口１５の上流側に位置するリアガイダ７の案内面７ａから吹き出された空気を、リアガイダ７の案内面７ａに沿って流れる気流の方向（第１の吹き出し方向Ｇ１）より上向きに流しつつ、下羽根保持部１４を中心に左右に吹き分けられるよう構成されている。
【００５７】
次に、上記のように設けられた風除け部１６ｂにおける作用について図１１を用いて説明する。図１１は、実施の形態２における風除け部１６ｂ付近の空気の流れを拡大して示す上面図である。図１１の黒矢印で示すように、冷房運転時において、リアガイダ７の案内面７ａに沿って流れてくる空気は、風除け部１６ｂの第２の吹出面１６ｂａと第３の吹出面１６ｂｂとの間に形成される境界線１６ｂｅで第２の風吹出面１６ｂａに沿って流れる気流の方向と第３の風吹出面１６ｂｂに沿って流れる気流の方向に吹き分けられる。また、第２の吹出面１６ｂａと第３の吹出面１６ｂｂは、それぞれ第１の吹き出し方向Ｇ１より上向きの傾斜面を有しているため、左右方向だけでなく第１の吹き出し方向Ｇ１より上向きに空気を吹き出す。したがって、風除け部１６ｂの第２の風吹出面１６ｂａと第３の風吹出面１６ｂｂから吹き出された気流は、下羽根保持部１４と下羽根８ａの開口１５に向かわずに下羽根８ａの吹出面８ａａへ流れる。
【００５８】
以上のように、実施の形態２の空気調和機では、下羽根８ａの開口１５の上流側に位置するリアガイダ７の案内面７ａに第２の風吹出面１６ｂａと第３の風吹出面１６ｂｂを有する風除け部１６ｂを形成している。第２の風吹出面１６ｂａと第３の風吹出面１６ｂｂとは、リアガイダ７の案内面７ａに沿って流れる気流の方向（第１の吹き出し方向Ｇ１）より上向きの傾斜を有している。また、第２の風吹出面１６ｂａと第３の風吹出面１６ｂｂとの間に形成される境界線１６ｂｅで気流を第２の風吹出面１６ｂａに沿って流れる気流の方向と第３の風吹出面１６ｂｂに沿って流れる気流の方向に吹き分けている。このような構成によって、リアガイダ７の案内面７ａから吹き出された空気が、下羽根保持部１４に当たることを抑制しつつ、下羽根８ａの開口１５に入り込むことを抑制することが可能となる。その結果、下羽根８ａの下羽根回動部８ａｂの内壁に冷気が当たることを防止し、下羽根８ａ表面近傍で結露が発生することを防止できる。
【００５９】
なお、本発明に係る風除け部１６は、上下風向変更羽根８の複数箇所に下羽根８ａを保持する下羽根保持部１４を設けた構成の空気調和機についても対応可能なものである。
【００６０】
実施の形態１と実施の形態２では、下羽根回動軸８ａｃと下羽根保持部１４が異なる材料で形成されており、下羽根回動部８ａｂと本体軸受部１３が、異なる材料で形成されている。異なる材料とは、強度、耐衝撃性、摺動特性が異なる材料で、例えば、下羽根回動軸８ａｃと下羽根回動部８ａｂは、ＡＢＳ樹脂、ポリスチレン樹脂等の材料で形成され、下羽根保持部１４と本体軸受部１３は、ポリアセタール樹脂、ポリアミド樹脂等の材料で形成されている。このような構成とすることで、下羽根回動軸８ａｃと下羽根保持部１４との摩擦抵抗を減らすことができる。そのため、下羽根回動軸８ａｃの回動時に下羽根回動軸８ａｃと下羽根保持部１４との摩擦によって発生する音を低減することができる。また、上記のような材料を用いることにより、加工精度のばらつきにより、下羽根回動部８ａｂと本体軸受部１３が接触する場合においても摩擦によって発生する音を低減することができる。その結果、下羽根８ａとリアガイダ７との間の隙間１２を小さくすることが可能となり、実施の形態１と実施の形態２の空気調和機の構成においては、隙間１２への空気の流入を抑制するシール性を向上させることができる。
【００６１】
以上のように、下羽根回動軸８ａｃと下羽根保持部１４が異なる材料で形成され、下羽根回動部８ａｂと本体軸受部１３が、異なる材料で形成されることによって、下羽根８ａとリアガイダ７との間の隙間１２への空気の流入を抑制することができる。隙間１２への空気の流入を抑制することによって、冷房運転時における吹出口近傍の結露を抑制することができる。さらに下羽根８ａが冷やされることを抑制でき、結露が発生することを防止できる。
【００６２】
なお、本発明の空気調和機としては、前述の実施の形態１および実施の形態２の構成に限定されるものではなく、実施の形態１および実施の形態２の構成で示した本発明の技術的思想は、その他種々の態様で実施可能である。
例えば、実施の形態１および実施の形態２の空気調和機は、暖房と冷房を兼用する空気調和機であるが、冷房機の専用機であっても当然適用可能である。また、実施の形態１および実施の形態２においては室内機と室外機が別体のセパレート型であるが、圧縮機、凝縮機及び蒸発機等が一体となった一体型空気調和機に対しても適用可能な構成である。さらに、本発明においては、室内機として壁掛け式に特定されるものではなく、床置き式等においても、空気の吹出口における上下風向変更羽根を同様の技術的思想により変形して対応することが可能である。
【産業上の利用可能性】
【００６３】
本発明の空気調和機は、冷房運転時の結露を防止して、吹出口からの空気を所望の領域に到達するように吹き出すことが可能な構成であり、且つ吹出口からの空気に対して高い整流効果を発揮することができるため、業務用及び一般家庭等で使用される空気調和機として有用である。
【符号の説明】
【００６４】
１  室内機
２  本体
２ａ  前面開口部
２ｂ  上面開口部
２ｃ  吹出口
３  前面パネル
４  フィルタ
５  熱交換器
６  ファン
７  リアガイダ
７ａ  案内面
８  上下風向変更羽根
８ａ  下羽根（第１の羽根）
８ｂ  上羽根（第２の羽根）
８ｃ  ガイドミニ羽根（第３の羽根）
８ａａ  吹出面
８ａｂ  下羽根回動部
８ａｃ  下羽根回動軸
８ａｄ  羽根部
９  左右風向変更羽根
１０  通風路
１１  スタビライザ
１２  隙間
１３  本体軸受部
１４  下羽根保持部
１５  開口
１６  風除け部
１６ａ  風除け部
１６ｂ  風除け部
１６ａａ  第１の風吹出面
１６ｂａ  第２の風吹出面
１６ｂｂ  第３の風吹出面
１６ｂｃ  頂点
１６ｂｄ  頂点
１６ｂｅ  境界線
【図１】
2014194314.tif 000003
【図２】
2014194314.tif 000004
【図３】
2014194314.tif 000005
【図４】
2014194314.tif 000006
【図５】
2014194314.tif 000007
【図６】
2014194314.tif 000008
【図７】
2014194314.tif 000009
【図８】
2014194314.tif 000010
【図９】
2014194314.tif 000011
【図１０】
2014194314.tif 000012
【図１１】
2014194314.tif 000013